【手続補正書】
【提出日】平成17年10月20日(2005.10.20)
【手続補正１】
【補正対象書類名】明細書
【補正対象項目名】特許請求の範囲
【補正方法】変更
【補正の内容】
【特許請求の範囲】
【請求項１】  入力された画像データに基づいて画像形成を行う画像形成装置において、
予め設定された複数のメンテナンス項目に対し、次回メンテナンスを行う時期に関する指標を取得する取得手段と、
該取得した指標を前記複数のメンテナンス項目毎に一覧表示する表示手段とを備えたことを特徴とする画像形成装置。
【請求項２】  前記表示手段は、前記複数のメンテナンス項目毎に、該メンテナンスにかかる時間を併せて表示することを特徴とする請求項１記載の画像形成装置。
【請求項３】  前記取得手段は、前記メンテナンス項目毎に前回メンテナンスが終了した時点からの画像形成枚数を計数する計数手段と、該計数された画像形成枚数を基に、次回メンテナンスを行うまでの残り画像形成枚数を算出する算出手段とを備え、該算出された残り画像形成枚数を前記指標として取得することを特徴とする請求項１記載の画像形成装置。
【請求項４】  前記複数のメンテナンス項目毎に表示された指標を基に、該メンテナンス項目を選択する選択手段と、
該選択されたメンテナンス項目に対応するメンテナンスの開始を制御する制御手段とを備えたことを特徴とする請求項１記載の画像形成装置。
【請求項５】  前記選択手段は、前記表示手段によって表示されたメンテナンス項目の画面上から選択することを特徴とする請求項４記載の画像形成装置。
【請求項６】  前記選択されたメンテナンス項目に対応するメンテナンスが開始された場合、該メンテナンス項目に対応する指標を初期値に設定することを特徴とする請求項４記載の画像形成装置。
【請求項７】  前記選択手段は、前記表示されたメンテナンス項目を同時に複数選択可能であり、前記制御手段は、複数のメンテナンス項目が同時に選択された場合、該選択された複数のメンテナンス項目に対応するメンテナンスの開始を制御することを特徴とする請求項４記載の画像形成装置。
【請求項８】  前記表示手段は、前記取得した指標を基に、次回メンテナンスを行う時期の早いものから順にメンテナンス項目を表示することを特徴とする請求項１記載の画像形成装置。
【請求項９】  前記表示手段は、前記メンテナンスにかかる時間の短いものから順にメンテナンス項目を表示することを特徴とする請求項２記載の画像形成装置。
【請求項１０】  通信媒体を介して他の装置に接続され、
前記メンテナンス項目毎に取得した指標を前記他の装置に送信する送信手段と、
前記送信された指標を基に前記他の装置によって選択されたメンテナンス項目を受信する受信手段と、
該受信したメンテナンス項目に対応するメンテナンスの開始を制御する制御手段とを備えたことを特徴とする請求項１記載の画像形成装置。
【請求項１１】  前記他の装置はネットワークを介して接続された他の画像形成装置であることを特徴とする請求項１０記載の画像形成装置。
【請求項１２】  前記他の装置はネットワークを介して接続されたサーバ装置であることを特徴とする請求項１０記載の画像形成装置。
【請求項１３】  前記メンテナンス項目には、対象部材の調整、清掃、消耗品の交換および補給が含まれることを特徴とする請求項１乃至１２のいずれかに記載の画像形成装置。
【請求項１４】  前記指標は、予め設定されたしきい値となる枚数から画像形成が行われた枚数を差し引いた残り枚数、所定の状態を検知するセンサの出力、あるいは設定時間から経過時間を差し引いた残り時間であることを特徴とする請求項１記載の画像形成装置。
【請求項１５】  入力された画像データに基づいて画像形成を行う画像形成装置、および該画像形成装置に通信媒体を介して接続された他の装置を有する画像形成システムにおいて、
前記画像形成装置は、予め設定されたメンテナンス項目に対し、次回メンテナンスを行う時期に関する指標を取得する取得手段と、該取得した指標を前記他の装置に送信する送信手段と、選択されたメンテナンス項目に対応するメンテナンスの開始を制御する制御手段とを備え、
前記他の装置は、前記送信された指標を受信する受信手段と、該受信した指標を前記メンテナンス項目毎に表示する表示手段と、該表示されたメンテナンス項目毎の指標を基に、該メンテナンス項目を選択する選択手段と、該選択されたメンテナンス項目の実行を前記画像形成装置に指示する指示手段とを備えたことを特徴とする画像形成システム。
【請求項１６】  入力された画像データに基づいて画像形成を行う画像形成装置によって行われるメンテナンス管理方法であって、
予め設定されたメンテナンス項目に対し、次回メンテナンスを行う時期に関する指標を取得する取得ステップと、
該取得した指標を前記メンテナンス項目毎に表示する表示ステップとを有することを特徴とするメンテナンス管理方法。
【請求項１７】  入力された画像データに基づいて画像形成を行う画像形成装置において、
予め設定された複数のメンテナンス項目に対し、次回メンテナンスを行う時期に関する指標を取得する取得手段と、
該取得した指標を前記複数のメンテナンス項目毎に一覧表示する表示手段と、
前記表示手段で一覧表示された前記複数のメンテナンス項目から任意のメンテナンス項目を選択可能な選択手段と、
前記選択されたメンテナンス項目を実行する制御手段とを備えたことを特徴とする画像形成装置。
【手続補正２】
【補正対象書類名】明細書
【補正対象項目名】０００８
【補正方法】変更
【補正の内容】
【０００８】
【課題を解決するための手段】
上記目的を達成するために、本発明の画像形成装置は、入力された画像データに基づいて画像形成を行う画像形成装置において、予め設定された複数のメンテナンス項目に対し、次回メンテナンスを行う時期に関する指標を取得する取得手段と、該取得した指標を前記複数のメンテナンス項目毎に一覧表示する表示手段とを備えたことを特徴とする。
【手続補正３】
【補正対象書類名】明細書
【補正対象項目名】０００９
【補正方法】変更
【補正の内容】
【０００９】
また、前記複数のメンテナンス項目毎に表示された指標を基に、該メンテナンス項目を選択する選択手段と、該選択されたメンテナンス項目に対応するメンテナンスの開始を制御する制御手段とを備えたことを特徴とする。
【手続補正４】
【補正対象書類名】明細書
【補正対象項目名】００１１
【補正方法】変更
【補正の内容】
【００１１】
本発明の画像形成システムは、入力された画像データに基づいて画像形成を行う画像形成装置、および該画像形成装置に通信媒体を介して接続された他の装置を有する画像形成システムにおいて、前記画像形成装置は、予め設定されたメンテナンス項目に対し、次回メンテナンスを行う時期に関する指標を取得する取得手段と、該取得した指標を前記他の装置に送信する送信手段と、選択されたメンテナンス項目に対応するメンテナンスの開始を制御する制御手段とを備え、前記他の装置は、前記送信された指標を受信する受信手段と、該受信した指標を前記メンテナンス項目毎に表示する表示手段と、該表示されたメンテナンス項目毎の指標を基に、該メンテナンス項目を選択する選択手段と、該選択されたメンテナンス項目の実行を前記画像形成装置に指示する指示手段とを備えたことを特徴とする。
【手続補正５】
【補正対象書類名】明細書
【補正対象項目名】００１２
【補正方法】変更
【補正の内容】
【００１２】
本発明のメンテナンス管理方法は、入力された画像データに基づいて画像形成を行う画像形成装置によって行われるメンテナンス管理方法であって、予め設定されたメンテナンス項目に対し、次回メンテナンスを行う時期に関する指標を取得する取得ステップと、該取得した指標を前記メンテナンス項目毎に表示する表示ステップとを有することを特徴とする。
本発明の画像形成装置は、入力された画像データに基づいて画像形成を行う画像形成装置において、予め設定された複数のメンテナンス項目に対し、次回メンテナンスを行う時期に関する指標を取得する取得手段と、該取得した指標を前記複数のメンテナンス項目毎に一覧表示する表示手段と、前記表示手段で一覧表示された前記複数のメンテナンス項目から任意のメンテナンス項目を選択可能な選択手段と、前記選択されたメンテナンス項目を実行する制御手段とを備えたことを特徴とする。